(57)【要約】【課題】直管蛍光灯器具のソケットをクリップ型にすることで、脚立等の台を使用せず高所にある直管蛍光灯の取替えを可能とする、及び従来設置されている押し込み型ソケットを容易且つ安価でクリップ型ソケットに変換させることを可能にする。【解決手段】直管蛍光灯の電極ピンに附属電極を取り付け、蛍光灯器具側のソケットは附属電極を収納する箱体と弾性材により附属電極を挟み込むクリップバ−を備えた構造とし、クリップバ−は箱体から突出した形状のクリップ型ソケットにすることにより離れた場所からでも附属電極をクリップバ−の位置に合わせることを可能とし直管蛍光灯の取替えに脚立等の台に上がる作業を不要とする。又、従来の押し込み型ソケットの電極に対応した接続板を挿入し、変換用クリップ型ソケット本体とソケットカバ−によって押し込み型ソケットを挟み込み固定することで従来の押し込み型ソケットをクリップ型ソケットに変換させる。【選択図】図１
2006278347.tif 000002
【特許請求の範囲】
【請求項１】
直管蛍光灯の電極ピン位置に対応した差込穴を有し、その差込穴から外部の側面電極に通電する機能を備えた附属電極を直管蛍光灯に取り付け、蛍光灯器具側ソケットは附属電極を弾性材の圧力によりクリップバーで挟み込みながら附属電極の側面電極と附属電極収納部のソケット側電極を接続させ、さらに弾性材の圧力により附属電極と接続された直管蛍光灯を押さえ込む事により直管蛍光灯の落下防止機能を備えた直管蛍光灯クリップ型ソケット。
【請求項２】
前記附属電極を弾性材で押さえる前記直管蛍光灯クリップ型ソケットのクリップバ−をソケットから突出させることにより附属電極をソケットの脱着位置にガイドすることが可能となり、高所にある蛍光灯器具でも脚立等に上がらずに弾性材等で軽くグリップできる簡易な直管蛍光灯保持棒等で容易に直管蛍光灯を取り替えられるようにした請求項１記載の直管蛍光灯クリップ型ソケット。
【請求項３】
前記直管蛍光灯クリップ型ソケットの背面に従来の押し込み型ソケットに対応した電極を備え反対側にはクリップ型ソケットの固定穴の位置に対応した位置決めピン及びクリップ型ソケットの背面電極に対応した電極を有した接続板を挿入し、接続板の位置決めピンにクリップ型ソケットの固定穴を挿入しながら従来の押し込み型ソケットをソケットカバ−で挟み込むことにより従来の押し込み型ソケットを請求項１記載の直管蛍光灯クリップ型ソケットに変換できる簡易形状変換型の直管蛍光灯クリップ型ソケット。
【発明の詳細な説明】
【技術分野】
【０００１】
本発明は直管蛍光灯の取替えが容易な直管蛍光灯クリップ型ソケットに関するものである。
【背景技術】
【０００２】
従来の直管型蛍光灯器具ソケットの構造には押し込み型及び回し込み型の二種類があり、その中、押し込み型ソケット８は基台に弾性材を使用した復元可能なソケットを結合し、そのソケットには直管蛍光灯４の電極ピン６を挿入する凹部電極９が設けられ、又これにより直管蛍光灯４の保持と通電機能が満たされる。
【０００３】
回し込み型ソケットは、基台に直管蛍光灯４の電極ピン６を下から導入し、電極ピン６を回転させる回転台があり、電極ピン６を９０度回した位置に電極ピン６に対応する電極が設けられ、電極ピン６は直管蛍光灯４を９０度回すことにより電極部に接続される、又それにより直管蛍光灯４の保持と通電機能が満たされる。
【特許文献１】実開２００３−３３４３号公報
【発明の開示】
【発明が解決しようとする課題】
【０００４】
押し込み型ソケット８の場合、直管蛍光灯４の取り替え作業は片手で直管蛍光灯４を持ち、もう片方の手で弾性材を使用したソケットの凹部電極９に直管蛍光灯４の電極ピン６を押し込みながらの作業でしか電極ピン６を挿入又は引き出すことができず、電極ピン６の脱着が非常に面倒で、特に１１０Ｗ等の高出力型の直管蛍光灯４は長く、電極ピン６の位置を作業台等の台上で目視にて合わせることが難しいと言う欠点があるだけでなく、かつ指で蛍光灯器具のソケット部に触れる作業は作業者に間違って感電する及び点灯状態の直管蛍光灯４に触れて火傷をするという心理的圧力を与える。
【０００５】
また回し込み型ソケットも手で直管蛍光灯４を持ち電極ピン６を４本導入路に挿入しかつ９０度回す作業は不便であり、かつ直管蛍光灯４のガラス部分を強く持ちながら回す必要があり、直管蛍光灯４が割れるという心理的圧力を与える。
【０００６】
したがって本発明は簡単な挟み込み機能による直管蛍光灯４の取り付け及び取り外し作業を可能することで、簡易な保持棒５を使用することにより直管蛍光灯４に直接触れることなく作業でき、並びに高所に取り付けられた蛍光灯器具での作業において脚立等に上がらずに安全な直管蛍光灯４交換作業を達成することにある。
【課題を解決するための手段】
【０００７】
本発明は、高所等に取り付けられた直管蛍光灯器具での直管蛍光灯の取り替えを簡易な直管蛍光灯保持棒で可能にするため、直管蛍光灯の電極ピンを直接ソケットの電極部に挿入又は引き出す作業を行わず電極ピンを一体化することを可能にした附属電極を脱着する構造とし、その附属電極を脱着するために附属電極を取り付けた直管蛍光灯を保持棒でクリップバ−に押し当てることにより直管蛍光灯器具のソケットの一部が開口時に大きく開閉するクリップ型とし、直管蛍光灯の取替え時に離れた距離からでも位置合わせを容易且つ正確に行えるクリップ型ソケットを最も主要な特徴とする。
【発明の効果】
【０００８】
本発明のクリップ型ソケットは、従来のソケットに備えられている小さな凹部電極に直管蛍光灯の電極ピンを挿入する必要がなくクリップ型ソケットから飛び出したクリップバ−に直管蛍光灯に取り付けた附属電極を押し当てることによりソケットに附属電極の脱着が可能となる大きな開口部を設けることができ、且つクリップバ−側面に直管蛍光灯端面を押し当てることで直管蛍光灯の長辺方向の位置合わせを可能とし直管蛍光灯を保持棒で容易にソケットに挿入することが可能となる。
【０００９】
逆に、直管蛍光灯の取り外しの場合は直管蛍光灯を保持し、クリップバ−が開く方向に押し広げることにより大きな開口部が設けられ直管蛍光灯を保持したまま開口部から引き出すことにより容易に取り外すことができる。
【００１０】
特に、１１０ワット等の高出力直管蛍光灯の長さは約２，４００ｍｍあり従来の蛍光灯器具では直管蛍光灯の中央部から取替え作業を行った場合でも約１，２００ｍｍ離れた位置から直管蛍光灯の電極ピンをソケットの凹部電極に挿入する必要があり、直管蛍光灯の取替え作業自体が困難であるが、クリップ型ソケットは附属電極をクリップバ−に押し当てることにより大きな開口部を得ることが可能となり、さらにクリップバーの側面に直管蛍光灯の端面を押し当てることで長辺側の位置合わせが目視でも容易となるため直管蛍光灯の取替え作業が簡素化される。
【００１１】
又、付属電極のソケット部に対する位置合わせが容易なため高所まで到達可能な簡易な保持棒で保持した直管蛍光灯を高所に取り付けられた蛍光灯器具のソケット部に挿入することが可能になるため、脚立等の台に上がらずに直管蛍光灯の取替えが可能であり、危険な作業を必要としない。
【００１２】
蛍光灯器具の取り付けられた下に商品棚や机があった場合、脚立等の台が設置できず、直管蛍光灯の取替えが非常に不便な状態となるが、本クリップ型ソケットと保持棒を使用した場合、離れた安全な床面からの取替え作業が可能となる。
【００１３】
さらに、クリップ型ソケットの背面に従来の押し込み型ソケットに対応した電極を有した接続板を使用することにより直管蛍光灯から従来の押し込み型ソケットまでの通電機能を備えることにより従来の押し込み型ソケットをクリップ型ソケットに変換させる機能を加え、従来から多数設置されている押し込み型ソケット型蛍光灯器具の取替え工事を必要とせず容易に且つ安価でクリップ型ソケットに変換できる。
【発明を実施するための最良の形態】
【００１４】
直管蛍光灯４の片側にある２本の電極ピン６を一体化しながらそれぞれの電極ピン６から附属電極の外部に接続する２か所の側面電極１４と通電する差込穴１７を有した附属電極３を直管蛍光灯４の両サイドの電極ピン６に取り付け、クリップ型ソケット１は附属電極３を収めることができる。附属電極３の２か所の側面電極１４に対応した電極を有する附属電極３と同じ形の収納部７と弾性体により附属電極３を押さえ込む機能と附属電極３を押し当てることにより大きな開口部を作り出すクリップバ−２を有した形態とし弾性材で軽くグリップできる簡易な保持棒５で保持した附属電極３を取り付けた直管蛍光灯４をクリップ型ソケット１のクリップバ−２に位置を合わせて押し広げることにより附属電極３をクリップ型ソケット１の収納部７に挿入するための大きな開口部が設けられ保持棒５で直管蛍光灯４を収納部７へ誘導し、直管蛍光灯４から保持棒５を取り外すことにより弾性材の圧力でクリップバ−を押し下げることにより、クリップバ−２が附属電極３を押さえ込むことにより、附属電極３の２か所の側面電極１４と収納部７の２か所の電極が接続されることにより通電点灯する。
【００１５】
又、直管蛍光灯４を取り外す場合は、設置されている直管蛍光灯４を簡易な保持棒５で保持しクリップバ−２が開く方向に弾性材の圧力以上の力で押し広げることによりソケット部に大きな開口部が設けられ、直管蛍光灯４を保持したまま保持棒５で直管蛍光灯４をソケット外部に誘導することにより容易に直管蛍光灯器具のクリップ型ソケット１から直管蛍光灯４を取り外すことが可能となる。
【００１６】
さらに、既設の押し込み型ソケット蛍光灯器具の場合は、押し込み型ソケット８の凹部電極９に対応した電極２か所とクリップ型ソケット１の背面電極１８に通電する機能を有した接続板１０を従来の押し込み型ソケット８の凹部電極９に挿入し、さらに接続板１０の電極２か所に対応した電極を有する変換用クリップ型ソケット本体１３の固定穴１１に接続板の位置決めピン１５を挿入し、従来の押し込み型ソケット８を外側から挟み込むソケットカバ−１２で押し込み型ソケット８を挟み込み固定することで、直管蛍光灯４の電極ピン６から附属電極３、附属電極３から変換用クリップ型ソケット本体１３のソケット側電極１６、変換用クリップ型ソケット本体１３のソケット側電極１６から背面電極１８、変換用クリップ型ソケット本体１３の背面電極１８から接続板１０の電極、接続板１０の電極から従来の押し込み型ソケット８の電極に至る通電が可能となり従来の押し込み型ソケット８をクリップ型ソケット１に変換が可能となる。
【実施例１】
【００１７】
図１は本発明の1実施例の説明図であって直管蛍光灯４に取り付けられた附属電極３とクリップ型ソケット１のクリップバ−２の位置関係を表し、直管蛍光灯４をクリップバ−２の広がる方向へ押すことにより附属電極３が挿入できる開口部が設けられることを説明したものである。
【実施例２】
【００１８】
図２は変換用等クリップ型ソケット本体１３を従来の押し込み型ソケット８に取り付ける方法を説明したものであって、接続板１０の電極を押し込み型ソケット８の凹部電極９に差し込み、押し込みながら変換用クリップ型ソケット本体１３とソケットカバ−１２で押し込み型ソケット８を挟み込むことにより従来の押し込み型ソケット８がクリップ型ソケット１に変換できることを説明したものである。
【図面の簡単な説明】
【００１９】
【図１】クリップ型ソケットの実施方法を示した説明図である。(実施例１)
【図２】変換用クリップ型ソケットの実施方法を示した説明図である。(実施例２)
【図３】クリップ型ソケットを使用し直管蛍光灯を取り付けた状態を示した斜面図である。
【図４】クリップ型ソケットの接続状態を示した断面図である。
【図５】変換用クリップ型ソケットの接続状態を示した断面図である。
【図６】附属電極の形態を示した斜面図である。
【図７】附属電極の形態を示した側面図である。
【図８】クリップ型ソケットと附属電極の接続状態を示した側面図である。
【図９】クリップ型ソケットの直管蛍光灯ソケットとの接続部分を示した側面図である。
【符号の説明】
【００２０】
１  クリップ型ソケット
２  クリップバ−
３  附属電極
４  直管蛍光灯
５  保持棒
６  電極ピン
７  収納部
８  押し込み型ソケット
９  凹部電極
１０接続板
１１固定穴
１２ソケットカバ−
１３変換用クリップ型ソケット本体
１４側面電極
１５位置決めピン
１６ソケット側電極
１７差込穴
１８背面電極
【図１】
2006278347.tif 000003
【図２】
2006278347.tif 000004
【図３】
2006278347.tif 000005
【図４】
2006278347.tif 000006
【図５】
2006278347.tif 000007
【図６】
2006278347.tif 000008
【図７】
2006278347.tif 000009
【図８】
2006278347.tif 000010
【図９】
2006278347.tif 000011